(57)【要約】  異常を識別するための皮膚検査装置であって；本装置は、検査領域を有する透明パネルと、温度の変化に応答して色が変わるように動作可能である、透明パネル上に提供された感温液晶（ＴＬＣ）構成の配列と、ＴＬＣ構成および検査領域内に置かれた標的の皮膚の領域のカラー画像を捕捉するための１つ以上の画像捕捉装置とを含み、捕捉されたカラー画像は皮膚のその領域内の異常を識別するために解析される。【選択図】図６
2019519294.tif 000002
【特許請求の範囲】
【請求項１】
異常を識別するための皮膚検査装置であって、
検査領域を有する透明パネルと、
温度の変化に応答して色が変わるように動作可能である、前記透明パネル上に提供された感温液晶（ＴＬＣ）構成の配列と、
前記ＴＬＣ構成および前記検査領域内に置かれた標的の皮膚の部位のカラー画像を捕捉するための１つ以上の画像捕捉装置であって、前記捕捉されたカラー画像が前記標的上の異常を識別するために解析される、１つ以上の画像捕捉装置と、
前記１つ以上の画像捕捉装置に、その動作を制御するために、動作可能に結合されたプロセッサであって、潰瘍および／または他の皮膚異常の出現を示す印を生成するために動作可能である、プロセッサと
を備える、皮膚検査装置。
【請求項２】
前記透明パネル上の重量支持荷重を検出するために動作可能な歪みゲージをさらに備える、請求項１に記載の皮膚検査装置。
【請求項３】
前記プロセッサが、重量支持荷重を検出する前記歪みゲージに応答して前記画像捕捉装置を起動するように構成される、請求項２に記載の皮膚検査装置。
【請求項４】
前記透明パネルがその上に取り付けられる筐体をさらに備える、請求項１〜請求項３のいずれか１項に記載の皮膚検査装置。
【請求項５】
前記筐体が、前記プロセッサおよび前記１つ以上の画像捕捉装置をその中に収納する、請求項４に記載の皮膚検査装置。
【請求項６】
前記透明パネルが、成人の前記体重を支持するために十分な強度の踏み板を提供する、任意の先行する請求項に記載の皮膚検査装置。
【請求項７】
前記透明パネルが剛性である、先行する請求項に記載の皮膚検査装置。
【請求項８】
前記透明パネルが、個人が乗った場合に足の裏の形状に一致するように動作可能な弾性材料から成る、請求項１〜請求項６のいずれか１項に記載の皮膚検査装置。
【請求項９】
裏打ち材は、各ＴＬＣ構成が前記裏打ち材のない領域を有するように、各ＴＬＣ構成を部分的に取り囲む、任意の先行する請求項に記載の皮膚検査装置。
【請求項１０】
前記裏打ち材が暗色である、請求項９に記載の皮膚検査装置。
【請求項１１】
前記暗色の材料が黒インクを含む、請求項１０に記載の皮膚検査装置。
【請求項１２】
前記画像捕捉装置は、各ＴＬＣ上の前記裏打ち材のない前記領域が前記１つ以上の画像捕捉装置の視野内にあるように、前記透明パネルの下に配置される、請求項９〜請求項１１のいずれか１項に記載の皮膚検査装置。
【請求項１３】
前記ＴＬＣ構成が、前記透明パネルの上表面上に提供される、任意の先行する請求項に記載の皮膚検査装置。
【請求項１４】
前記ＴＬＣ構成が前記透明パネル上に印刷される、任意の先行する請求項に記載の皮膚検査装置。
【請求項１５】
較正手段をさらに含む、任意の先行する請求項に記載の皮膚検査装置。
【請求項１６】
前記プロセッサは、前記標的の前記温度を複数の別々の位置で測定するために前記画像捕捉装置によって捕捉された前記画像を処理するように構成される、任意の先行する請求項に記載の皮膚検査装置。
【請求項１７】
前記プロセッサは、前記画像を処理して、前記識別されたＴＬＣ構成の前記色を対応する温度値に変換するように構成される、請求項１６に記載の皮膚検査装置。
【請求項１８】
前記プロセッサは、前記ドットの色相／彩度／明度および色−温度変換テーブルに基づいて、前記識別されたＴＬＣ構成の前記色を対応する温度値に変換する、請求項１７に記載の皮膚検査装置。
【請求項１９】
前記プロセッサは、前記温度値に基づいて温度マップを生成するように構成される、請求項１７または請求項１８に記載の皮膚検査装置。
【請求項２０】
前記プロセッサは、前記温度マップを前記標的の前記捕捉された画像に重ね合わせるように構成される、請求項１９に記載の皮膚検査装置。
【請求項２１】
前記プロセッサは、前記温度マップおよび前記捕捉された画像に関して画像解析を実行するように構成される、請求項１９または請求項２０に記載の皮膚検査装置。
【請求項２２】
前記画像解析は、前記捕捉された画像の同様の点における前記温度を比較する、請求項２１に記載の皮膚検査装置。
【請求項２３】
前記プロセッサは、前記捕捉された画像の特定の位置における潰瘍および／または他の皮膚異常の前記出現を示す印を生成するように動作可能である、請求項１〜請求項２２のいずれか１項に記載の皮膚検査装置。
【請求項２４】
前記プロセッサは、過度の皮膚肥厚、水疱、水分、および変色の少なくとも１つを含む、前記捕捉された画像上の領域を検出するように構成される、請求項１〜請求項２３のいずれか１項に記載の皮膚検査装置。
【請求項２５】
警告を生成するための警告機構をさらに備える、先行する請求項のいずれか１項に記載の皮膚検査装置。
【請求項２６】
前記警告機構は、前記警告を遠隔エンティティに電気通信ネットワーク経由で伝達するように動作可能である、請求項２５に記載の皮膚検査装置。
【請求項２７】
前記画像捕捉装置は、入力に応答して画像を捕捉するようにトリガーされる、先行する請求項のいずれか１項に記載の皮膚検査装置。
【請求項２８】
前記画像捕捉装置は、前記標的領域上に置かれている足に応答して画像を捕捉するようにトリガーされる、請求項１〜請求項２７のいずれか１項に記載の皮膚検査装置。
【請求項２９】
前記ＴＬＣ構成は、１ｃｍ２あたり１つの頻度で間隔が空けられる、先行する請求項のいずれか１項に記載の皮膚検査装置。
【請求項３０】
ＴＬＣ構成の前記密度は、１ｃｍ２あたり０．５〜６の間の範囲である、請求項１〜請求項２２のいずれか１項に記載の皮膚検査装置。
【請求項３１】
各ＴＬＣ構成は、０．５ｍｍ〜４ｍｍの範囲の直径を有する、先行する請求項のいずれか１項に記載の皮膚検査装置。
【請求項３２】
前記透明パネルは、ガラス、複合材料、ポリカーボネートまたは他のプラスチック材料を含む、任意の先行する請求項に記載の皮膚検査装置。
【請求項３３】
１つ以上の較正構成要素をさらに備える、任意の先行する請求項に記載の皮膚検査装置。
【請求項３４】
光源をさらに備える、先行する請求項のいずれか１項に記載の皮膚検査装置。
【請求項３５】
前記画像捕捉装置の視野に入る光強度を変更するための光フィルタをさらに備える、先行する請求項のいずれか１項に記載の皮膚検査装置。
【請求項３６】
前記光源は、既知の強度および色の１つ以上のＬＥＤを含む、請求項３４に記載の皮膚検査装置。
【請求項３７】
前記透明パネル上のグレアを低減するための１つ以上の拡散フィルムをさらに備える、先行する請求項のいずれか１項に記載の皮膚検査装置。
【請求項３８】
前記ＴＬＣ構成に反射する外部光の量を低減するために、前記筐体の内側に低反射性材料をさらに備える、請求項４または請求項５に記載の皮膚検査装置。
【請求項３９】
足型に形成されたパネルをさらに備える、任意の先行する請求項に記載の皮膚検査装置。
【請求項４０】
１つ以上の色較正標的をさらに備える、任意の先行する請求項に記載の皮膚検査装置。
【請求項４１】
前記１つ以上の較正標的が前記ＴＬＣ構成に組み込まれ得る、請求項４０に記載の皮膚検査装置。
【請求項４２】
複数の画像捕捉装置が前記標的の前記画像を捕捉するために使用される、任意の先行する請求項に記載の皮膚検査装置。
【請求項４３】
前記視野内に重複する領域をもつ、２つ以上の画像捕捉装置が提供される、請求項４２に記載の皮膚検査装置。
【請求項４４】
較正標的が前記重複する視野内に配置される、請求項４３に記載の皮膚検査装置。
【請求項４５】
前記画像捕捉装置の視野内に光センサーをさらに備える、任意の先行する請求項に記載の皮膚検査装置。
【請求項４６】
前記光センサーからの前記出力が、前記画像捕捉装置の前記動作設定を変更するために前記プロセッサによって使用される、請求項４５に記載の皮膚検査装置。
【請求項４７】
前記光センサーからの前記出力が、周囲光の影響を除去するために後処理アルゴリズムによって入力として使用される、請求項４５に記載の皮膚検査装置。
【請求項４８】
前記透明パネルの前記温度を感知するための熱センサーをさらに備える、任意の先行する請求項に記載の皮膚検査装置。
【請求項４９】
前記ＴＬＣ構成が、青および緑に関してのみ動作するように設計される、任意の先行する請求項に記載の皮膚検査装置。
【請求項５０】
各ＴＬＣ構成を取り囲んでいるブラックリングをさらに備える、任意の先行する請求項に記載の皮膚検査装置。
【請求項５１】
グレアを生じる光線の少なくとも一部を遮断するように構成された１つ以上の遮光板をさらに備える、任意の先行する請求項に記載の皮膚検査装置。
【請求項５２】
前記１つ以上の遮光板が選択的に調整可能である、請求項５１に記載の皮膚検査装置。
【請求項５３】
前記１つ以上の遮光板の寸法、構成、配向または位置が選択的に調整可能である、請求項５２に記載の皮膚検査装置。
【請求項５４】
請求項１〜請求項５３のいずれか１項に記載の皮膚検査装置と、
個人の前記体重を計算するための手段と
を含む、体重計。
【発明の詳細な説明】
【技術分野】
【０００１】
本開示は、異常を識別するための皮膚検査装置に関する。具体的には、しかし非独占的に、皮膚検査装置は、潰瘍形成を予測するためにヒトの足の裏を熱感知することに関する。
【背景技術】
【０００２】
糖尿病患者は、一般に、生涯にわたって、糖尿病性足部潰瘍（ＤＦＵ）として知られている状態に悩まされる。糖尿病患者は、ＤＦＵの発症の指標であり得る皮膚へのいかなる異常な損傷も検出するために、自分の足を日々、検査することが推奨される。しかし、視力低下、移動性の低下、末梢神経障害に起因した感覚低下、および教育の欠如などの制限要因のために、糖尿病患者は、日々の足検査を推奨されたとおりには忠実に守れない結果となる。ＤＦＵを早期に識別すると、治療成績の向上および治療費の削減につながり得る。ＤＦＵが形成前に検出されると、恩恵はさらに大きいであろう。現在のところ、最良実施は、視覚的に足を検査して、足治療医に定期的に報告することである。
【０００３】
温度監視は、ＤＦＵ形成を予測する既知の方法である。反対の足上の同様の点の間に２．２℃の温度差があれば、潰瘍形成の前駆体であり得る炎症を示していることが明らかにされている。患者が両方の足の裏で温度を測って、スポットごとに温度比較が行われ得るのを可能にする温度点プローブは当技術分野で既知である。かかる点プローブは、個々の標的スポットで皮膚温度を測定するために使用され得る。片方の足上のスポットが、もう一方の足上の同じスポットと比べて、温度変化を示していて、その温度変化以上が持続している（華氏４度（２．２℃）以上が、２日以上にわたって上昇している）場合、問題が生じている可能性があることを示しており、患者は医師に相談するように警告される。このアプローチでの問題は、患者の足の同じスポットを何日にもわたって測定する必要があることである。正確に測定するために、患者が同じスポットを識別することは困難である。さらに、比較を行うために温度読取りのログを維持することは患者の責任であり、それは、ヒューマンエラーとなり得る。日々、視覚的に足を検査することは、全ての糖尿病患者に対して推奨される。既に述べたように、これは、低下した視力および移動性のために困難であり得る。現在の温度監視装置では、推奨される日々の視覚的な検査は容易でない。
【０００４】
従来技術の欠点の少なくともいくつかに対処する皮膚検査装置に対する必要性がある。
【発明の概要】
【０００５】
これらおよび他の問題は、異常を識別するための皮膚検査装置を提供することによって対処され；本装置は、
検査領域を有する透明パネルと、
温度の変化に応答して色が変わるように動作可能である、透明パネル上に提供された感温液晶（ＴＬＣ）構成の配列と、
ＴＬＣ構成および検査領域内に置かれた標的の皮膚の部位のカラー画像を捕捉するための１つ以上の画像捕捉装置であって、捕捉されたカラー画像は皮膚のその部位内の異常を識別するために解析される、１つ以上の画像捕捉装置と
を含む。
【０００６】
一態様では、捕捉されたカラー画像に基づいて異常の形成を識別するための手段が提供される。好都合に、検査領域内に置かれた標的の温度は、複数の別々の位置で測定される。
【０００７】
一態様では、プロセッサは、１つ以上の画像捕捉装置に、その動作を制御するために動作可能に結合される。
【０００８】
別の態様では、歪みゲージは、透明パネル上の重量支持荷重を検出するために動作可能である。好都合に、プロセッサは、重量支持荷重を検出する歪みゲージに応答して画像捕捉装置を起動するように構成される。一例では、プロセッサは、標的が静止位置にあるという判断に応答して画像捕捉装置を起動するように構成される。別の例では、プロセッサは、所定の領域に置かれている標的に応答して画像捕捉装置を起動するように構成される。
【０００９】
さらなる態様では、透明パネルがその上に取り付けられる筐体が提供される。好都合に、筐体は、プロセッサおよび１つ以上の画像捕捉装置をその中に収納する。
【００１０】
一態様では、透明パネルは、成人の体重を支持するために十分な強度の踏み板を提供する。
【００１１】
別の態様では、透明パネルは剛性である。
【００１２】
さらなる態様では、透明パネルは、個人が踏んだ場合に足の裏の形状に一致するように動作可能な弾性材料である。
【００１３】
一態様では、裏打ち材は、各ＴＬＣ構成が裏打ち材のない領域を有するように、各ＴＬＣ構成を部分的に取り囲む。
【００１４】
別の態様では、裏打ち材は暗色である。好都合に、暗色の材料は、黒インクを含む。一例では、裏打ち材は、ビュー領域（ｖｉｅｗｉｎｇ  ａｒｅａ）に入る外部の周囲光を少なくとも部分的に防ぐ。
【００１５】
例示的な配置では、画像捕捉装置は、各ＴＬＣ上の裏打ち材のない領域が１つ以上の画像捕捉装置の視野と重なるように、透明パネルの下に配置される。
【００１６】
一態様では、ＴＬＣ構成は、透明パネルの上表面上に提供される。好都合に、ＴＬＣ構成は、透明パネル上に設置される。
【００１７】
さらなる態様では、較正手段が提供される。
【００１８】
一態様では、プロセッサは、標的の温度を複数の別々の位置で測定するために画像捕捉装置によって捕捉された画像を処理するように構成される。一例では、複数の画像捕捉装置が提供される。
【００１９】
別の態様では、プロセッサは、画像を処理して、識別されたＴＬＣ構成の色を対応する温度値に変換するように構成される。好都合に、プロセッサは、ドットの色相／彩度／明度および色−温度変換テーブルに基づいて、識別されたＴＬＣ構成の色を対応する温度値に変換する。１つの例示的な配置では、プロセッサは、温度値に基づいて温度マップを生成するように構成される。好都合に、プロセッサは、温度マップを標的の捕捉された画像に重ね合わせるように構成される。
【００２０】
一態様では、プロセッサは、温度マップおよび捕捉された画像に関して画像解析を実行するように構成される。好都合に、画像解析では、捕捉された画像の同様の点での温度を比較する。
【００２１】
別の態様では、プロセッサは、異常の出現を示す印（ｉｎｄｉｃｉａ）を生成するように動作可能である。好都合に、プロセッサは、潰瘍の出現を示す印を生成するように動作可能である。
【００２２】
一態様では、プロセッサは、捕捉された画像の特定の位置において潰瘍の出現を示す印を生成するように動作可能である。
【００２３】
さらなる態様では、プロセッサは、過度の皮膚肥厚（ｃａｌｌｏｕｓ）、水疱、水分、変色、および同様のものの少なくとも１つを含む、捕捉された画像上の領域を検出するように構成される。
【００２４】
一態様では、警告を生成するための警告機構が提供される。好都合に、警告機構は、警告を遠隔エンティティに電気通信ネットワーク経由で伝達するように動作可能である。
【００２５】
一態様では、画像捕捉装置は、入力に応答して画像を捕捉するようにトリガーされる。好都合に、画像捕捉装置は、標的領域に置かれている足に応答して画像を捕捉するようにトリガーされる。
【００２６】
別の態様では、ＴＬＣ構成は、１ｃｍ２あたりほぼ１つの頻度で間隔が空けられる。好都合に、ＴＬＣ構成の密度は、１ｃｍ２あたり０．５〜６の間の範囲である。一例では、各ＴＬＣ構成は、０．５ｍｍ〜５ｍｍの範囲の直径を有する。
【００２７】
一態様では、透明パネルは、ガラス、複合材料、ポリカーボネートまたは他のプラスチック材料を含む。
【００２８】
別の態様では、１つ以上の較正構成要素が提供される。
【００２９】
一態様では、光源が提供される。
【００３０】
別の態様では、画像捕捉装置の視野に入る光強度を変更するために光フィルタが提供される。
【００３１】
一態様では、光源は既知の強度および色の１つ以上のＬＥＤを含む。
【００３２】
別の態様では、透明パネル上のグレアを低減するために１つ以上の拡散フィルムが提供される。
【００３３】
一態様では、ＴＬＣ構成に反射する外部光の量を低減するために筐体の内側に低反射性材料が提供される。
【００３４】
別の態様では、足型に形成されたパネルが提供される。
【００３５】
さらなる態様では、１つ以上の色較正標的が提供される。
【００３６】
一態様では、１つ以上の較正標的がＴＬＣ構成に組み込まれ得る。
【００３７】
さらなる態様では、標的の画像を捕捉するために複数の画像捕捉装置が使用される。
【００３８】
一態様では、視野内に重複する領域をもつ、２つ以上の画像捕捉装置が提供される。好都合に、較正標的は重複する視野内に配置される。
【００３９】
一態様では、光センサーが画像捕捉装置の視野内に提供される。
【００４０】
別の態様では、光センサーからの出力は、画像捕捉装置の動作設定を変更するためにプロセッサによって使用される。
【００４１】
一態様では、光センサーからの出力は、周囲光の影響を除去するために後処理アルゴリズムにより入力として使用される。
【００４２】
別の態様では、透明パネルの温度を感知するために熱センサーが提供される。
【００４３】
一態様では、ＴＬＣ構成は、青および緑に関してのみ動作するように設計される。好都合に、ブラックリングが各ＴＬＣ構成を取り囲む。
【００４４】
別の態様では、１つ以上の遮光板が、グレアを生じる光線の少なくとも一部を遮断するように構成される。
【００４５】
一態様では、１つ以上の遮光板が選択的に調整可能である。
【００４６】
さらなる態様では、１つ以上の遮光板の寸法、構成、配向または位置が選択的に調整可能である。
【００４７】
これらのおよび他の構成は、本教示の理解を支援するために提供されている以下の図面を参照して、より良く理解されるであろう。
【００４８】
本教示は、ここで、添付の図面を参照して説明される：
【図面の簡単な説明】
【００４９】
【図１】本開示に従った皮膚検査装置を示す。
【図２】図１の装置の詳細のグラフィック表現である。
【図３】図１の装置の詳細のグラフィック表現である。
【図４】図１の装置の詳細のグラフィック表現である。
【図５Ａ】図１の装置の詳細の側面図である。
【図５Ｂ】図１の装置の詳細の上面斜視図である。
【図５Ｃ】図１の装置の詳細の底面斜視図である。
【図６】図１の装置の詳細のブロックレベル図である。
【図７】図１の装置の詳細のグラフィック表現である。
【図８Ａ】皮膚検査装置の別の詳細を示し、それも同様に本教示に従う。
【図８Ｂ】同様に本教示に従う皮膚検査装置の別の詳細を示す。
【図８Ｃ】同様に本教示に従う別の皮膚検査装置を示す。
【図９】同様に本教示に従う別の皮膚検査装置を示す。
【図１０】図８の皮膚検査装置の詳細を示す。
【図１１】同様に本教示に従う別の皮膚検査装置を示す。
【図１２Ａ】本教示に従った皮膚検査装置の例示的な詳細を示す。
【図１２Ｂ】本教示に従った皮膚検査装置の例示的な詳細を示す。
【図１３】本教示に従った皮膚検査装置の例示的な詳細を示す。
【図１４】本教示に従った皮膚検査装置の例示的な詳細を示す。
【図１５】本教示に従った皮膚検査装置の例示的な詳細を示す。
【図１６】本教示に従った皮膚検査装置の例示的な詳細を示す。
【図１７】本教示に従った皮膚検査装置の例示的な詳細を示す。
【図１８】本教示に従った皮膚検査装置の例示的な詳細を示す。
【図１９】同様に本教示に従う別の皮膚検査装置を示す。
【図２０】本教示に従った皮膚検査装置の例示的な詳細を示す。
【図２１】本教示に従った皮膚検査装置の例示的な詳細を示す。
【図２２】本教示に従った皮膚検査装置によって実行される例示的なステップを詳述する流れ図である。
【図２３Ａ】本教示に従った皮膚検査装置によって実行される例示的なステップを詳述する流れ図である。
【図２３Ｂ】本教示に従った皮膚検査装置によって実行される例示的なステップを詳述する流れ図である。
【図２３Ｃ】本教示に従った皮膚検査装置によって実行される例示的なステップを詳述する流れ図である。
【図２４Ａ】温度データだけを使用した視覚化表現である。
【図２４Ｂ】温度データおよび標的の画像を組み合わせた視覚化表現である。
【図２４Ｃ】温度データおよび標的の画像を組み合わせた視覚化表現である。
【図２５】本教示に従った皮膚検査装置の例示的な読出し回路を示す。
【図２６】本教示に従った皮膚検査装置の別の例示的な読出し回路を示す。
【図２７】本教示に従った皮膚検査装置の例示的な詳細を示す。
【発明を実施するための形態】
【００５０】
本開示は、ここで、いくつかの例示的な皮膚検査装置を参照して説明される。例示的な皮膚検査装置は、本教示の理解を支援するために提供されており、いかなる形でも制限として解釈すべきでないことが理解されよう。さらに、任意の１つの図を参照して説明される要素または構成要素は、本教示の精神から逸脱することなく、他の図のそれらまたは他の等価要素と置き換えられ得る。説明を簡潔かつ明瞭にするために、適切であると考えられる場合は、参照番号が、対応するかまたは類似の要素を示すために、図面間で繰り返され得ることが理解されるであろう。
【００５１】
図面を参照すると、本教示に従い異常の形成を識別するための皮膚検査装置１００が示されている。本装置１００は、検査中の身体の部位と連携するための検査領域を画定する透明パネル１０２を含む。例えば、検査中の部位は、足、手、腕、脚などであり得る。例示的な配置では、検査中の部位は、図２に示すように、足１０９の裏である。透明パネル１０２は、検査中に足１０９に適合する踏み板を提供する。しかし、他の部位も装置１００によって検査され得るので、本教示を足に制限することは意図していない。温度変化の検出に応答して色が変わるように動作可能である感温液晶（ＴＬＣ）構成の配列が透明パネル１０２上に提供される。ＴＬＣ構成は、例示的な実施形態ではＴＬＣドット１０５として提供される。ＴＬＣドット１０５は、１ｃｍ２あたりほぼ１つの頻度で間隔が空けられ得る。ＴＬＣドットの密度は、１ｃｍ２あたり０．５〜６の間の範囲であり得る。各ＴＬＣドットは、０．５ｍｍ〜５ｍｍの範囲の直径を有し得る。本教示を提供される例示的な値に制限することは意図しておらず、例示的な値はほんの一例として提供されることが理解されるであろう。
【００５２】
透明パネル１０２は、装置１００の構成要素をその中に収容する筐体１０６上で支持される。筐体１０６は、側壁１１２がそこから上方に延出して、一緒に中空内部領域１１３を画定する基部１１１を含む。１つ以上の画像捕捉装置１０７が、ＴＬＣ構成および足１０９上にある皮膚の部位のカラー画像を捕捉するために、中空内部領域１１３内に提供される。ＬＥＤ１２２の形での１つ以上の光源も中空内部領域１１３内に配置され得る。冷陰極放電ランプ、エレクトロルミネセンスコーティング材料、例えば、テープ、パネル、ワイヤーなど、キセノンまたはハロゲン球などの、ＬＥＤＳ以外の他のタイプの光源が使用され得る。中央処理装置１１５も中空内部領域１１３内に提供されて、以下で詳細に説明するように、装置１００の動作を制御するように構成される。
【００５３】
例示的な実施形態では、ＴＬＣドット１０５は、ＴＬＣインクのパターンを透明パネル１０２の上面１１４上に印刷することにより、透明パネル１０２上に提供される。ＴＬＣドットは、ほんの一例として説明されている印刷以外の技術を使用してパネル上に提供され得ることが、当業者によって理解されるであろう。サーモクロミズムは、当技術分野で周知のように、温度の変化に起因して色が変わる物質の特性である。ＴＬＣドット１０５は、正確な温度で色が変わるように設計されており、足の温度を測定する方法として使用される。ＴＬＣドット１０５は、所定の範囲にわたって、例えば、２０℃の温度範囲の経過にわたって赤から青に、例えば、２０℃で赤に、４０℃で青に、色が変わる。糖尿病性足部潰瘍の用途に対して要求される温度範囲は、１５〜３８℃である。１つの例示的な配置では、１５〜３８℃の完全に要求される範囲も感知することが可能でありながら、温度に対する色相感度を向上させるために、図３に最も良く示すように、いくつかの熱変色性ドットがクラスタ１１７に並んで配置される。例えば、クラスタ１１７の右上のＴＬＣドットは、２０〜２５℃の範囲で温度を参照し得る。他の３つのＴＬＣドット１０５は黒で、温度が範囲外であることを示している。ＴＬＣドットの構成を、ほんの一例として提供されているクラスタ配置に制限することは意図していない。さらに、本教示を、ほんの一例として提供されている例示的な値に制限することは意図していない。
【００５４】
図４に最も良く示されている、黒の裏打ち層１１０は、色変化の可視性を向上させるためにＴＬＣドット１０５を覆うために提供され得る。ＴＬＣインクの層が透明パネル１０２上に沈着される。この層の厚さは、５〜５００ミクロンの厚さの範囲であり得る。黒インクの層が次いで、ＴＬＣ層上に同様の厚さで沈着される。ＴＬＣおよび黒の層は、従来型の印刷技術または精密なマイクロピペット応用プロセスを使用して、沈着され得る。黒の層は、ＴＬＣドット１０５に対するカプセル化としても機能し得、ＴＬＣドット１０５をＵＶ放射および湿気から保護する。その両方は、ＴＬＣインクの劣化をもたらして、それらの寿命を低下させることが分かっている。黒の裏打ち層１１０は、ＴＬＣ層をせん断力および他の力から保護するためにも機能し得る。黒インクは、ＵＶおよび湿気に対するその耐性を向上させ、同時に、機械力に対する強度と抵抗も向上させるために、追加の添加物が含有され得る。図５Ａに最も良く示されている、さらなる透明層１１２が、ＴＬＣ層および黒インク層の上に置かれ得る。これは、透明なプラスチックフィルムの形を取り得、透明パネル１０２上の隆起したＴＬＣドット１０５またはＴＬＣクラスタ１１７にそれが適合できるように熱処理されていることもあれば、熱処理されていないこともある。代替として、透明層１１２は、印刷およびコーティング業界で行われるのに類似した方法で表面上に印刷されるか、または噴霧もしくは塗装され得る。ＴＬＣ構成は、任意の適切な技術を使用して透明パネル上に沈着され得、例えば、１つの例示的な技術は、黒の層をフィルム上に沈着して、ＴＬＣを黒の層上に層状にし、次いで、ＴＬＣをパネル１０２の上面に接触して配置して、フィルムを透明パネル上に置くことを含み得る。
【００５５】
ＴＬＣインクは、典型的には、それと直接接触する物体の温度を正確に感知するだけである。従って、透明パネルは、成人の体重を支持するのに十分な強度を有するように構成される。透明パネル１０２は、ガラス、複合材料、ポリカーボネートもしくは他のプラスチック材料、または同様のものなどの、剛性材料であり得る。足１０９は、様々な輪郭、例えば、アーチ、をもつ３次元形状であり、足１０９の裏全体がＴＬＣドット１０５と接触するのではない。ＴＬＣドット１０５と足１０９との間の接触を改善するために、パネル１０２は、足１０９の裏の形状に適合する可撓性または弾性材料から製造され得る。透明なシリコーンなどの材料が、光透過性および弾力性の両方があるので、使用され得る。例えば、パネルは、ユーザーの足１０９のアーチの形状に一致するように適合し得る。これは、ＴＬＣドットとのさらなる接触を可能にする。例示的な配置では、ＴＬＣドットと接触している足の領域を強化するために、パネルは、足と係合するための１つ以上の構成を含み得る。例えば、１つ以上の構成は、１つ以上の窪みもしくは１つ以上の突起、または窪みと突起の組合せを含み得る。当業者によって理解され得るように、類似の特性をもつ他の材料が使用され得るので、本教示をシリコーンに制限することは意図していない。ＴＬＣドット１０５は、次いで、上で概説したのと同じ方法で、この層の上に印刷できる。
【００５６】
剛性の透明パネル１０２が使用される場合、ＴＬＣドット１０５は、画像捕捉装置１０７に対して同じＸＹ位置に配置される。しかし、弾性パネル１０２の場合、ＴＬＣドット１０５は、わずかにＸおよびＹ方向に、かつもっと劇的にＺ方向にシフトし得る。この配置では、ＣＰＵ１１５は、捕捉された画像をスキャンして、自動的にドットを識別し、次いでこれらを温度値に変換し得るアルゴリズムを適用するように構成され得る。
【００５７】
精度を改善するために様々な較正特徴が装置１００に組み込まれ得る。例えば、温度較正は、熱源およびＴＬＣ較正ストリップを含めて、達成され得る。熱源は、例えば、ポリイミド薄膜ヒーター、セラミック発熱体、または金属発熱体を含み得る。ＴＬＣ較正ストリップは、熱源によって既知の値まで加熱され得、ＴＬＣ較正ストリップの色が次いで解析されて、それが較正閾値内であることを確認し得る。パネル１０２は、図７に示すように、既知の色であるドット１１６または特徴を含み得る。これらは、ＴＬＣドット１０５の色の較正をより高精度、より低処理能力、コストなどで、容易にするための基準値として機能する。これは、異なる照明条件において、例えば、暗い部屋および明るい部屋で、精度を確実にするのを支援し得る。パネル１０２は、ジオリファレンス特徴または形状を含み得、ＴＬＣドット配列の位置は、これらのジオリファレンスに関して分かっている。これらは、ＣＰＵ１１５がＴＬＣドット１０５の位置をさらに高精度で識別するのを容易にする基準として機能し得、それにより処理能力、コストなどを削減する。
【００５８】
ＴＬＣドット１０５は、熱に応答して色が変わる。ＴＬＣドット１０５のデジタル写真画像が画像捕捉装置１０７によって撮られる。ＣＰＵ１１５は、ＴＬＣドット１０５の画像を解析するように構成される。ＣＰＵ１１５は、色変化を解析して、色情報を温度値に変換するように動作可能である。従って、ＴＬＣドット１０５の色は、ＴＬＣドットと重なっている足の様々な点における温度を示す。片方の足上の点が、もう一方の足上の同じ点と比較して、温度変化を示し、その温度変化以上が持続している（華氏４度（２．２℃）以上が、２日以上にわたって上昇している）場合、ＣＰＵ１１５は、ＤＦＵ問題が生じている可能性があることを示すように構成され得、患者は医師に相談するように警告される。
【００５９】
精度を最大限にするために、装置１００は、環境光、光の温度および視野角の捕捉された色への影響を軽減するための特徴を含み得る。様々な較正技術が、これらの影響を軽減するために使用され得る。これに加えて、画像捕捉装置１０７のための「ビュー領域」と考えられ得る中空内部領域１１３内の照明環境を制御するために様々な方法が使用できる。標準的なＴＬＣドット１０５設計の場合、ＣＰＵ１１５が、画像解析中に、赤い皮膚の部分を赤いＴＬＣドット１０５として誤って識別し得るリスクがあり得る。これを克服するために、ＴＬＣドット１０５は、それらを識別し易くするような方法で設計され得る。これを達成する１つの方法は、各ＴＬＣドット１０５を黒の下地インク（ｂａｃｋｉｎｇ  ｉｎｋ）を用いて丸で囲むことであろう。こられの丸は、温度で色が変わらず、ＣＰＵ１１５が検出するのが容易であろう。ＣＰＵ１１５は、丸の内側はＴＬＣインクの領域であり、このインクの色は温度に関連することを理解する。本教示を、かかる構成を有するＴＬＣドット１０５に制限することは意図しておらず、例示的なＴＬＣドット構成は、捕捉された画像の画像処理中に精度が改善され得る方法の例として提供される。
【００６０】
中空内部領域１１３内のビュー領域１１９は、透明パネル１０２の下の領域である。ＴＬＣドット１０５は、図４に最も良く示されているように、下向きにビュー領域に面している。黒の裏打ち１１０は、各ＴＬＣドット１０５が裏打ち材のない領域１２１を有するように、各ＴＬＣドット１０５を部分的に取り囲む。画像捕捉装置１０７は、ＴＬＣドット１０５の領域１２１がその視野内にあるように上向きに面している。
【００６１】
ＴＬＣドット１０５が、ガラス、プラスチックまたは同様のもので作られた透明パネル１０２上に配置されている構成では、ＴＬＣ読取りでこの温度に対してオフセットするために、パネル温度を知ることは好都合であろう。センサー１１８がパネル１０２上に配置され得るか、またはパネルを指している近接ＩＲセンサーがパネル温度を取得するために使用され得る。
【００６２】
環境光は、画像捕捉装置１０７がＴＬＣドット１０５の色を認識する方法を変更し得る。例えば、明るい環境では、ＴＬＣドット１０５は、より暗い環境におけるのとは異なる色相を有するように見え得る。これに加えて、周囲光が、それに対するわずかな彩色を有し得、それはＴＬＣドットの色にも影響を及ぼし得る。環境光におけるこれらの変化を吸収するために、装置１００は、環境を制御する手段を含み得る。ビュー領域１１９内の環境は、環境光の影響を最小限にするように制御され得る。ここで図８Ａ〜図８Ｃを参照すると、フィルタ１２０が、光の強度を変更するために使用され得、また、光の異なる色または波長を除去するためにも使用され得る。フィルタ１２０は、ＴＬＣ材料を潜在的に損傷し得る、ビュー領域１１９に入るＵＶ光の量を変えるためにも使用され得る。フィルタ１２０は、図８Ａに示すように、ＴＬＣドット１０５の上に、パネル１０２を覆って配置されたフィルムであり得る。これは、パネル１０２の下から見た場合に、フィルタ１２０がＴＬＣドット１０５の色に影響を及ぼすのを防ぐであろう。代替として、フィルタ１２０は、図８Ｂに示すように、プレート１０２を覆って、ＴＬＣドット１０５の下に配置されたフィルムであり得る。代替として、パネル１０２は、固有の濾過特性をもつ材料を含み得るか、またはポリマーブレンドに添加された濾過材を有し得て、図８Ｃに示すように、追加のフィルタ層に対する必要性を取り除く。代替として、パネル１０２は、濾過材でコーティングされ得る。濾過材は、偏光フィルタ、ＵＶフィルタ、着色フィルム、色フィルタ、または同様のものを含み得る。
【００６３】
図９に示すように一連のＬＥＤ１２２が、中空内部領域１１３内に配置され得、環境光条件を無効にするために機能し得る。ＬＥＤ１２２は、ＴＬＣドット１０５を見るための再現可能な状態を生じる既知の強度および色であり得る。標準的なＬＥＤ光に加えて、１つ以上の拡散フィルム１２４が提供されて、ＬＥＤ１２２に由来するパネル１０２上のグレアを低減し、パネル１０２の表面全体にわたって均一レベルの照明を提供し得る。このグレアを低減する別の方法は、標的、画像捕捉装置１０７、および照明光源の位置を調整することである。グレアを最小限にするために、好ましい配置は、照明光源によって画像捕捉装置１０７に反射する光の量を最小限にするものである。
【００６４】
グレアを減少させる別の代替方法は、照明光源１２２からの光線を遮断する遮光板（複数可）１２３などの１つ以上の構造を提供することであり、照明光源１２２からの光線は、画像捕捉装置１０７に直接反射する。遮光板１２３は好都合に、投じられる影のサイズを最小限にする方法で構築され得、それは、影が、グレアを生じる光線１２７を遮断するのに十分な大きさであることを確実にする。遮光板１２３は、グレアを生じる光線１２７の実質的に全てを遮断するように構成されることを意図する。しかし、いくつかの配置では、遮光板１２３は、グレアを生じる光線１２７の一部を選択的に遮断するように構成され得る。遮光板１２３は、標的が置かれる領域の照明の量が所望のレベルに制御されることを確実にする。このようにしてグレアが所望のレベルに制御される。遮光板１２３の位置は固定または調整可能であり得る。遮光板を所望の位置へ選択的に移動することを容易にするための機構が提供され得る。遮光板１２３の寸法は、固定または調整可能であり得る。遮光板１２３は、選択的に調整可能であり得ることが理解されるであろう。遮光板１２３の寸法、構成、配向、または位置は、必要に応じて、選択的に調整可能であり得ることが予測される。
【００６５】
ここで、同様に本教示に従った例示的な皮膚検査装置を示す、図１１を参照する。この例示的な配置では、筐体１０６の内部表面に反射する光の量が最小限になるように、筐体１０６の全ての内部表面が低反射性材料１２６でコーティングされる。これは、ＴＬＣドット１０５に下から反射する外部光の量を低減する。
【００６６】
ここで、同様に本教示に従った例示的な皮膚検査装置を示す、図１２Ａ〜図１２Ｂを参照する。ビュー領域に入る環境光の量を制限するために、ユーザーは、大きくて開いたパネルとは対照的に、足型に形成されたパネル１２８に足を踏み入れるように指示され得る。足型に形成されたパネル１２８は、透明な材料で作られ得るが、他方、残りの領域１２９は不透明であろう。不透明な領域は、環境光がビュー領域に入るのを許可しない。同様に、足１０９が足型に形成されたパネル１２８上に置かれると、それは光がビュー領域に入るのを遮る。装置１００が、不透明な保護カバー１３０を用いて保管されて運ばれるのは有益であり得る。カバー１３０は、異なる足サイズの「剥がし（ｐｅｅｌ−ａｗａｙ）」部分を有し得る。ユーザーは、必要な部分を剥がして、自分の足のサイズに合わせる。これは、装置に入り得る周囲光の量を制限するであろう。
【００６７】
図１３〜図１６を参照すると、皮膚検査装置１００に組み込まれ得る、いくつかの例示的な選択可能な較正技術が示されている。異なる明度および色値に対してオフセットするために、基準色較正標的１３２を提供することは有益であり、一例は、Ｍａｃｂｅｔｈ  Ｃｏｌｏｕｒ  Ｃｈｅｃｋｅｒであろう。これらの較正標的１３２は、既知の色相などの一連の色を有し得る。画像捕捉装置１０７から撮った画像は、較正標的を含み得る。これらの較正標的１３２は、ＣＰＵ１１５によってアルゴリズム的に評価され得る。色からの逸脱量は次いで、捕捉された画像をその元の色に戻すために、ＣＰＵ１１５によって調整的なオフセットを捕捉された画像に適用するために使用できる。これらの較正標的１３２は、既知の色の配列から成り得る。これらの標的は一般に、色の精度が重要な応用写真アプリケーションで使用される。これらの較正標的１３２の形状および位置は、パネル１０２上のどこにでも配置できる。好都合に、較正標的は、ＴＬＣドット１０５と同じように周囲光にさらされる位置に配置されるであろう。かかる較正標的１３２に対していくつかの可能な形状がある。それらは、図１３に示すような従来の方法で構成され得るが、この構成では、それらは潜在的に、足のビューを妨げ得る。これを克服するために、較正標的１３２は、図７に示すように、パネルの角に配置され得る。代替として、較正標的は、より直線的なストリップ構成で構成され得る。このストリップ構成は、図１４に示すように足の画像に影響を及ぼさないように踏み板の縁部に沿って配置できる。
【００６８】
較正標的１３２は、ＴＬＣドット１０５に組み込まれ得る。これは、足１０９の写真画像に対する混乱を潜在的に最小限にでき得る。これは、図１５に示すように色較正標的がＴＬＣドット１０５に極めて近接して配置されるという点においても有益であり得る。図１６に示すように、複数の較正標的が、複数カメラ構成の装置で使用され得る。これは、輝度および色の再現の一致を可能にし得る。別の選択肢は、マスタースレーブカメラ構成を使用して、複数のカメラにわたる設定を一致させることである。別の潜在的な構成は、図１６に示すように、視野内で重なり合う領域をもつ２つ以上のカメラ、およびこの重なり部分に配置された較正標的を使用することである。較正標的１３２は、周囲光がそれを通って装置１００に入るのを防ぐために、ＴＬＣドット１０５と同様の材料／設計の、不透明な裏打ちを有し得る。材料は黒のコーティングにできるか、またはプラスチックの薄い黒の板／フィルムにできる。
【００６９】
光センサー１３４は、装置１００のビュー領域１１９内に配置され得る。この光センサー１３４は、それに作用する周囲光の強度を感知できる。かかるセンサーの一例は、Ｓｅｅｅｄ  ＳｔｕｄｉｏからのＧｒｏｖｅ  Ｌｉｇｈｔ  Ｓｅｎｓｏｒである。このセンサーは、光強度および近似のルクス値を検出できる。このセンサーからの出力は、環境光に反応するように画像捕捉装置１０７設定を変更するためにＣＰＵ１１５によって使用できる。それは、周囲光のＴＬＣ色読取りへの影響を取り除くために後処理アルゴリズムに対する入力にもなり得る。光センサー１３４は、写真画像が撮られているときに、装置１００によって起動できる。代替として、光センサー１３４は、ユーザーがパネル１０２に乗る前に起動できる。このシナリオでは、ユーザーは、装置１００を起動し、それが光強度試験を実行するのを待ってから、パネル１０２に乗り得る。
【００７０】
パネル１０２の温度は、ＴＬＣドット１０５の温度に潜在的に影響を及ぼして、誤った温度読取りを与え得る。ＴＬＣドットは、足１０９およびパネル１０２によって熱的に作用され、パネル１０２は、図１７に示すように、ＴＬＣ温度を上昇または低下させるように働く。パネル温度１０２をＴＬＣ温度から分離するために、パネル１０２自体の温度を知ることは有益である。パネル温度または基準温度は、いくつかの方法で記録できる。この温度値は、ＴＬＣからの記録された温度値に適用されるアルゴリズムに入力され得る。このアルゴリズムは、記録されたＴＬＣ温度に対するパネル温度の影響を取り除き得る。
【００７１】
１つの方法は、図１８に示すように、パネル１０２に向けられた赤外線温度センサーを使用する。これは、パネル１０２の比較的大きい領域がその温度に関して解析できるようにし得る。パネル１０２の温度が表面全体にわたって連続的でないリスクがあり得る。これを判断するために、いくつかの温度測定がいくつかの温度センサーによって行われ得る。温度を測定する代替方法は、図１９に示すように、パネル上に取り付けられたサーミスタまたは熱電温度計を使用することによる。いくつかのこれらのセンサーは、パネル全体の温度が連続的であるかどうかを判断するために使用できる。
【００７２】
パネル温度を記録するさらなる代替方法は、図２０に示すように、ＴＬＣドット自体の使用を伴い得る。ＣＰＵ１１５は、足から十分に離れているドットを識別するためのアルゴリズムを適用し得る。これらのＴＬＣドットの色は、パネルの温度に比例する。記録された温度値が表面全体にわたって著しく異なる場合、装置は、パネルの温度が連続的でないことをユーザーに警告して、より安定した温度が達成できる場所に移動させるように指示し得る。例えば、装置が暖房器の横、または直射日光下に放置されていたために、温度が連続的でない可能性がある。代替として、温度センサーは、パネルの表面にわたって一定の階調度があると判断し得る。この場合、記録されたＴＬＣ温度に適用されるオフセットは、この階調度に基づき得る。
【００７３】
前述の方法に追加して、ユーザーの体重によって起動される装置の代わりに、ボタンによって起動される方法があり得る。一旦、押されると、装置１００はパネル温度を判断するために温度を読み取り得る。この利点は、患者の足の暖かさがこの温度読取りに影響を及ぼさないことである。この温度読取りに加えて、光強度読取りも行われ得る。
【００７４】
ＴＬＣは通常、可視光のスペクトルの全範囲にわたって色が変化する。これは、足の色が典型的には赤と黄色の間のどこかであるので、画像解析中に問題を生じ得る。これは、ＴＬＣドットが足の背景画像に溶け込み得るので、それらが赤−黄の範囲を通っているかどうかを画像解析アルゴリズムが識別するのをさらに困難にし得る。これを克服するために、ＴＬＣドット１０５は、青および緑に関してのみ動作するように設計され得る。代替として、ＴＬＣドット１０５は、それらが画像解析アルゴリズムによって容易に識別されるために、それらの周囲にブラックリングを有し得る。ドットを基準として使用して、複数の画像を統合するか、または歪みを受けた画像（ｗａｒｐｅｄ  ｉｍａｇｅ）を平らにする／広げる。複数カメラの装置では、画像が捕捉された後に、それらを一緒にまとめる必要がある。ドットは、相互に、およびカメラに関して固定されているので、これを容易にするために基準点として使用され得る。魚眼レンズで捕捉された画像に対して、ドットは、画像を広げるための基準点として使用され得る。ドットの形状（または他の形状）、およびこれらの相互に関する位置が画像を広げるために使用できる。
【００７５】
装置１００は、所定の機能を実装するようにプログラムされる１つ以上のソフトウェアモジュールを含むことが理解されるであろう。装置１００は、本開示に従って方法を実行するように機能する様々なハードウェアおよびソフトウェア構成要素を含む。装置１００は、ユーザーインタフェース１５０、メモリ１６０と通信するＣＰＵ１１５、および通信インタフェース１６５を含む。ＣＰＵ１１５は、メモリ１６０にロードして格納できるソフトウェア命令を実行するように機能する。ＣＰＵ１１５は、特定の実施態様に応じて、いくつかのプロセッサ、マルチプロセッサコア、または何らかの他のタイプのプロセッサを含み得る。メモリ１６０は、ＣＰＵ１１５によってアクセス可能であり得、それによりＣＰＵ１１５が、メモリ１６０上に格納された命令を受信および実行するのを可能にする。メモリ１６０は、例えば、ランダムアクセスメモリ（ＲＡＭ）または任意の他の適切な揮発性もしくは不揮発性コンピュータ可読記憶媒体であり得る。加えて、メモリ１６０は、固定または取外し可能であり得、ハードドライブ、フラッシュメモリ、書換型光ディスク、書換型磁気テープ、または前述の何らかの組合せなどの、１つ以上の構成要素または装置を含み得る。
【００７６】
１つ以上のソフトウェアモジュール１７０は、メモリ１６０内でコード化され得る。ソフトウェアモジュール１７０は、プロセッサ１１５によって実行されるように構成されたコンピュータプログラムコードまたは命令のセットを有する１つ以上のソフトウェアプログラムまたはアプリケーションを含み得る。本明細書で開示するシステムおよび方法の態様のための操作を実行するための、かかるコンピュータプログラムコードまたは命令は、１つ以上のプログラミング言語の任意の組合せで書かれ得る。ソフトウェアモジュール１７０の実行中、ＣＰＵ１１５は、本開示の実施形態に従い、皮膚異常形成の識別に関連した様々な操作を実行するように装置１１０を構成する。ＣＰＵ１１５は、標的の温度を複数の別々の位置で測定するために、画像捕捉装置１０７によって捕捉された画像を処理するように構成され得る。ＣＰＵ１１５は、画像を処理して、識別されたＴＬＣ構成の色を対応する温度値に変換するように動作可能であり得る。ＣＰＵ１１５は、ドットの色相／彩度／明度および色−温度変換テーブルに基づいて、識別されたＴＬＣ構成の色を対応する温度値に変換するようにプログラムされ得る。色相／彩度／値（ＨＳＶ）または赤、緑、青（ＲＧＢ）などの他の色空間が使用され得ることが当業者によって理解されるであろう。追加として、ＣＰＵ１１５は、温度値に基づいて温度マップを生成するように構成され得る。１つの例示的な配置では、ＣＰＵ１１５は、温度マップを、標的の捕捉された画像に重ね合わせるように動作可能である。別の配置では、ＣＰＵ１１５は、温度マップおよび捕捉された画像に関して画像解析を実行するように構成される。ＣＰＵは、捕捉された画像の同様の点において温度を比較するようにプログラムされ得る。ＣＰＵ１１５は、捕捉された画像の画像解析に基づいて、潰瘍および／または他の皮膚異常の出現を示す印を生成するように動作可能であり得る。ＣＰＵ１１５は、捕捉された画像上の特定の位置において潰瘍および／または他の皮膚異常の出現を示す印を生成するように動作可能であり得る。印は、例えば、出力画像の形であり得る。別の例では、ＣＰＵ１１５は、過度の皮膚肥厚、水疱、水分、および変色の少なくとも１つを含む、捕捉された画像上の領域を検出するように構成される。
【００７７】
データベース１８５などの、本システムおよび方法の操作に関連した他の情報および／またはデータも、メモリ１６０上に格納され得る。データベース１８５は、様々な操作を通して利用される様々なデータ項目および要素を含み、かつ／または保持し得る。データベース１８５は装置１００にローカルに構成されているとして示されているが、ある実施態様では、データベース１８５および／またはその中に格納された様々な他のデータ要素はリモートに配置され得ることに留意すべきである。かかる要素は、リモート装置またはサーバー−図示せず−上に配置されて、プロセッサにロードされて実行されるために、当業者に周知の方法でネットワークを通して装置１００に接続され得る。
【００７８】
さらに、ソフトウェアモジュール１７０のプログラムコードおよび１つ以上のコンピュータ可読記憶装置（メモリ１６０など）は、当業者に周知のように、本開示に従って製造および／または分散され得るコンピュータプログラム製品を形成する。
【００７９】
通信インタフェース１６５も、ＣＰＵ１１５に動作可能に接続され、装置１００と、外部装置、機械および／または要素との間で通信を可能にする任意のインタフェースであり得る。通信インタフェース１６５は、データを送信および／または受信するために構成される。例えば、通信インタフェース１６５は、Ｂｌｕｅｔｏｏｔｈ、ＷｉＦｉ；またはセルラー送受信機、無線モジュール、衛星通信送信機／受信機、光ポートおよび／もしくは装置１１０を外部装置に接続するための任意の他のかかるインタフェースを含み得るが、それらに制限されない。
【００８０】
ユーザーインタフェース１５０も、ＣＰＵ１１５に動作可能に接続される。ユーザーインタフェースは、スイッチ（複数可）、ボタン（複数可）、鍵（複数可）、またはタッチスクリーンなどの１つ以上の入力装置（複数可）を含み得る。ユーザーインタフェース１５０は、データ入力を可能にするように機能する。ユーザーインタフェース１５０は、オン−オフコマンドまたは前述した方法の操作に関連した設定など、ユーザーからのコマンドの捕捉を容易にするように機能する。
【００８１】
ディスプレイ１９０も、ＣＰＵ１１５に動作可能に接続され得る。ディスプレイ１９０は、ユーザーが様々なオプション、パラメータ、および結果を見るのを可能にする画面または任意の他のかかる提示装置を含み得る。ディスプレイ１９０は、ＬＥＤディスプレイなどのデジタルディスプレイであり得る。装置１１０は、電源１９２によって電力供給され得る。警告を生成するために、警告機構１９５が提供される。警告機構１９５は、警告を遠隔エンティティに電気通信ネットワーク経由で伝達するように動作可能である。
【００８２】
装置１００の例示的な動作を、流れ図２００、３００Ａ、３００Ｂおよび３００Ｃを参照して説明する。ブロック２０２で、ユーザーは透明パネル１０２に乗る。ＣＰＵ１１５に動作可能に結合される歪みゲージ１６９は、透明パネル１０２上の重量荷重を感知する（ブロック２０４）。歪みゲージ１６９は、ユーザーが安定した位置にある時を判断するように構成される（ブロック２０６）。ＣＰＵ１１５は、ＬＥＤ１２２を起動する（ブロック２０８）。この例示的な実施形態では、２つの画像捕捉装置１０７が起動されて個人の足１０９の裏、および足１０９の裏上の対応する点の温度を示すように色が変化しているＴＬＣドット１０５のパターンの画像を捕捉する（ブロック２１０）。温度センサー１１８が透明パネル１０２の温度を記録する（ブロック２１２）。この例では、皮膚検査装置１１０は、個人の体重を捕捉するための体重計としても機能し得る（ブロック２１４）。画像データ、体重データ、基準温度データ、タイムスタンプが、処理のためにＣＰＵ１１５に送信される（ステップ２１６）。
【００８３】
流れ図３００Ａを参照して、データ処理を説明する。ＣＰＵ１１５は、画像データ、体重データ、基準温度データ、タイムスタンプを受信する（ブロック３０２）。画像データを捕捉するために２つの画像捕捉装置が使用されたので、捕捉された画像を一緒にまとめる（ブロック３０４）。ＣＰＵ１１５は、捕捉された画像を色較正標的に関して解析する（ブロック３０６）。ＣＰＵ１１５は、色較正標的を解釈して、色オフセットを捕捉された画像に適用する（ブロック３０８）。さらに、ＴＬＣドット１０５の位置がＣＰＵ１１５によって識別される（ブロック３１０）。ＴＬＣドット１０５の色が、ＣＰＵ１１５によって温度値に変換される（ブロック３１２）。基準温度およびオフセットアルゴリズムがＣＰＵ１１５によって温度値に適用される（ブロック３１４）。修正された温度値が患者データベースに格納される（ブロック３１６）。画像データ、体重データ、基準温度およびタイムスタンプもデータベースに格納される（３１８）。温度値がＤＦＵの形成を示していると判断される場合、適切な印がディスプレイ１９０上に表示されて、その個人に潜在的な潰瘍形成を警告する（ブロック３２０）。
【００８４】
流れ図３００Ｂを参照して、例示的なデータ処理アプローチを説明する。ＣＰＵ１１５は、画像データ、体重データ、基準温度データ、タイムスタンプを受信する（ブロック３０２）。画像データがＣＰＵ１１５によって処理される（ブロック３０４）。この処理は、捕捉された画像をスキャンして、温度センサー１０５の位置を識別するアルゴリズムをＣＰＵ１１５が適用することを含み得る。捕捉された画像内での温度センサー１０５の位置が、センサー１０５によって記録された温度データにリンクされる（ブロック３０６）。ＣＰＵ１１５は、センサー１０５の記録された温度値に基づいて、温度データセットを生成する（ブロック３０８）。温度データセットが、データベース１８５に格納される。基準温度およびオフセットアルゴリズムがＣＰＵ１１５によって温度データセットに適用される（ブロック３１０）。修正された温度データセットが患者データベースに格納される（ブロック３１２）。画像データ、体重データ、基準温度およびタイムスタンプもデータベースに格納される（ブロック３１４）。温度データセット内の温度値がＤＦＵの形成を示していると判断される場合、適切な印がディスプレイ１９０上に表示されて、その個人に潜在的な潰瘍形成を警告する（ブロック３１６）。本教示が、提供された例示的なステップ、または必要に応じて修正され得るステップの順序および連続に制限されることは意図しないことが理解されるであろう。例えば、体重データの包含は、前述のデータ処理アプローチでは任意選択であり得る。
【００８５】
流れ図３００Ｃを参照して、代替データ処理アプローチを説明する。ブロック３１０、３１２、３１４および３１６は、図２３Ｂで同様にラベル付けされたブロックに対応する。ブロック３１７および３１８は、代替アプローチを説明する。特徴は、色相解析、ブロブ、コーナー、エッジ解析および他のかかる特徴検出アルゴリズムなどの、当業者に周知の様々なコンピュータビジョン手段によって識別され得る（ブロック３１７）。特徴は、タグ付けされた特徴のデータベースとの比較を通しても識別され得る。タグ付けされたデータセットは、例えば、ニューラルネットワークを使用する、機械学習アルゴリズムのための訓練セットとしても使用され得る。特徴は、そのサイズ、形状、配向などを含む、足を含み得る。検出され得る他の特徴は、潰瘍、つま先、皮膚肥厚、変色、切り傷、水疱、または同様のものを含み得る。
【００８６】
システムは、視覚的もしくは熱的異常、または両方の組合せを検出するように構成され得る（ブロック３１８）。視覚的異常は、まず、画像内の足を識別することによって検出され得る。足は次いで、異常な特徴に関して再調査される。熱的異常は、温度データだけを使用することによって、または視覚画像を温度データと組合わせることによって、識別され得る。足の位置が、視覚画像を使用して決定され得る。足の温度が周囲温度と同様である場合があるので、これは好都合であり、従って、温度データだけを使用して足の位置を判断することは困難であり得る。そのため、足上の点と他方の足上の点との間の比較を実行することは、どの点を比較すべきかを判断することが困難であるので、困難であり得る。
【００８７】
足の画像を温度データセットとリンクすることにより、足上の任意の位置における温度を測定することが可能である。異常は、足上の同等点の間で温度を比較する（対側比較）ことによって検出され得る。異常を検出する他の方法は、平均、最大、最小温度、または任意の他の統計的に生成された数を比較することを含み得る。別の方法は、収集されたデータを、以前に収集されたデータと比較することである。ある患者では、対側の部位間に既存の温度差があり得、これらの場合、温度を以前に記録された温度と比較することが好都合であろう。別の実施形態では、足の前部、踵、母趾などの、局地的温度の比較が実行され得る。
【００８８】
２つの異なる感知モダリティデータセット（熱的および視覚的）を再調査することは、異常の存在を判断するために利用可能な情報のレベルを高めるので、好都合である。いくつかの異常は、データセットの１つにだけ存在し得る。それは、４つの潜在的な結果を与えるので好都合であるが、単一の感知モダリティでは、２つしかない。
【表１】
2019519294.tif 000003
【００８９】
システムは、検出された異常のタイプに基づいて警告を変更するように構成され得る。例えば、視覚的な異常が存在せず対側温度上昇によって生成された印は、活動性潰瘍が検出される場合に生成された印とは異なり得る。
【００９０】
つま先、踵、アーチなどの、身体的部位を識別するために画像内の点が使用され得る。画像は、足の幾何学的マップを生成するためにデジタル化され得る。画像の異なる領域が特性に基づいて分類され得る。これらの分類された領域は、両方の足を比較する場合に基準点（複数可）として使用され得る。幾何学的マップは、所与の座標において物理的形成を識別するために使用され得る。従って、幾何学的マップは、他方の足上の同じ領域との正確な比較を可能にする。これは、同様の点における各足からのデータの簡単なマッピングを容易にする。
【００９１】
足の温度は通常、体温よりも低い。多くの場合、足の温度は、周囲温度と同様の温度であり得る。かかる場合、ヒートマップ内でどこが足に対応するかを判断することは不可能である。従って、対側温度比較を実行することは困難であり得る。図２４Ａは、温度センサー１０５の配列を使用して記録され得る可能な温度データセットの表示を提供する。足の大部分は、周囲温度と同様であり、従って、温度センサー１０５から区別するのは不可能である。しかし、ヒートマップ内には温度が上昇した２つの領域がある。温度が異常であるかを判断する主な形態は、対側比較を実行すること、すなわち、それを他方の足上の同じ点と比較することである。
【００９２】
図２４Ｂおよび図２４Ｃは、データセットを組み合わせると、温度データの有用性を高める追加の情報をどのように提供するかを示す。図１４Ａでは、温度が上昇した２つの領域が（図１４Ｂで示されるように）足の同じ位置に対応するか、または（図１４Ｃで示されるように）それらが異なる位置に対応するかを判断することは不可能である。診断は、この追加の情報に基づいて、健康から不健康に逆転する。図１４Ｂは、温度データを視覚データと組み合わせて、ホットスポット部位が足の同じ位置に対応することを確認するために使用され得る。対側比較では、これは、温度が正常であることを示すであろう。図１４Ｃも温度データを視覚データと組み合わせて、ホットスポットが足の異なる位置にあるかを判断するために使用できる。視覚画像は、ホットスポット部位が足の異なる位置に対応することを確認するために使用され得る。対側比較では、これは、温度は正常でないことを示すであろう。
【００９３】
ここで、本教示に従った皮膚検査装置の例示的な読出し回路を示す、図２５を参照する。読出し回路４００は、マトリックス構成で示されている温度センサー１０５の配列と通信する。温度感知は、電圧を読み取ることによって達成される。温度センサー１０５の配列の各素子は、行選択用に１つ（ＭｕｘＢ）および列選択用に１つ（ＭｕｘＡ）の、２つのスイッチングマルチプレクサを使用して、個別に読み取ることができる。読出し回路４００は、ハーフブリッジ回路として構成される。読出し回路５００の代替実施形態は、図２６に示すフルブリッジ回路のそれである。
【００９４】
単一のアレイ素子の最大読取り速度は、マルチプレクサスイッチング速度、アナログ／デジタル変換器読取り速度ならびに寄生容量および抵抗に起因した信号切換ノイズの関数である。検知システムのノイズおよび温度依存性を最小限にするために、調整回路が使用され得、低域通過フィルタを使用して高周波ノイズを除去し、差動増幅器を使用して信号を増幅して、アナログ／デジタル変換を実行する。
【００９５】
図２７は、足１０９の長さに沿って配置され、そのため温度センサー１０５の配列の同時サンプリングが生じ得る、例示的な読出し回路４００を示す。これは、全体的なスキャン／検査時間を最小限にして、ユーザーに対する不都合を低減する。読出し回路は、センサー１０５からのデータ読取りを温度値に変換するためにＣＰＵ１１５と通信する。読出し回路４００、５００およびＣＰＵ１１５の間の接続は、１２ＣまたはＳＰＩなどの、高速デジタルバスであり得、バス接続は、画像捕捉装置１０７の視野から隠されるべきである。温度センサー１０５の配列は、行−列構成をもつグリッドで配置される。温度センサー１０５は、光経路が温度センサー１０５間に存在するように間隔が空けられて、温度センサー１０５と接触した足１０９の裏の画像が捕捉できるようにする。光経路は、２つ以上の隣接する温度センサー１０５の間のゾーンによっても画定され得る。温度センサー１０５は、座標を通してアドレス可能であり、センサー１０５の座標は、捕捉された画像内の１つ以上の画素に対応し得る。ＣＰＵ１１５は、検査中の足１０９の裏のグラフィック領域を温度センサー１０５の座標にマッピングするように動作可能である。
【００９６】
本発明の範囲から逸脱することなく、前述の実施形態に対して様々な変更が行われ得ることが当業者によって理解されるであろう。このように、教示は、添付の請求項の観点から必要であると考えられる限りにおいてのみ制限されると理解される。説明を簡単にするために、ＴＬＣ構成は、本開示を通してドットとして言及されている。しかし、例えば、円形、三角形、正方形、卵形、５角形、星形、山形、直線、曲線などであるが、それらに制限されず、いくつかの異なる形状が使用され得る。ＴＬＣ構成は任意の所望の構成で提供できることが予測される。例示的な配置では、複数の画像捕捉装置が示されているが、単一の画像捕捉装置が使用され得ることが理解されるであろう。
【００９７】
ＴＬＣドット構成の配列を使用することの利点は、それが、標的位置の視覚画像を捕捉する能力を維持しながら、多数の別々の位置で温度データの取得を可能にすることである。例えば、次の表は、様々な直径のＴＬＣドットによって曖昧にされた画像の割合を提示する。例では、ドットは１ｃｍのピッチで配置され、それにより、１００ｍｍ２ごとに１つのドットを含む。円の面積は
π．ｒ２
によって与えられ、式中ｒは円の半径である
【表２】
2019519294.tif 000004
このように、分散した特性およびＴＬＣドットの寸法に起因して、それらは足の裏の表面領域の大部分を画像捕捉装置の視野から遮らない。
【００９８】
本発明の範囲から逸脱することなく、前述の実施形態に対して様々な変更が行われ得ることが当業者によって理解されるであろう。このように、教示は、添付の請求項の観点から必要であると考えられる限りにおいてのみ制限されると理解される。例示的な実施形態では、皮膚検査装置１００は、個人の体重を計算するための手段を有する体重計に組み込まれ得る。
【００９９】
同様に、含むという用語は、明細書内で使用される場合、述べられた構成、整数、ステップまたは構成要素の存在を指定するために使用されるが、１つ以上の追加の構成、整数、ステップ、構成要素またはそれらのグループの存在または追加を除外しない。
【図１】
2019519294.tif 000005
【図２】
2019519294.tif 000006
【図３】
2019519294.tif 000007
【図４】
2019519294.tif 000008
【図５Ａ】
2019519294.tif 000009
【図５Ｂ】
2019519294.tif 000010
【図５Ｃ】
2019519294.tif 000011
【図６】
2019519294.tif 000012
【図７】
2019519294.tif 000013
【図８Ａ】
2019519294.tif 000014
【図８Ｂ】
2019519294.tif 000015
【図８Ｃ】
2019519294.tif 000016
【図９】
2019519294.tif 000017
【図１０】
2019519294.tif 000018
【図１１】
2019519294.tif 000019
【図１２Ａ】
2019519294.tif 000020
【図１２Ｂ】
2019519294.tif 000021
【図１３】
2019519294.tif 000022
【図１４】
2019519294.tif 000023
【図１５】
2019519294.tif 000024
【図１６】
2019519294.tif 000025
【図１７】
2019519294.tif 000026
【図１８】
2019519294.tif 000027
【図１９】
2019519294.tif 000028
【図２０】
2019519294.tif 000029
【図２１】
2019519294.tif 000030
【図２２】
2019519294.tif 000031
【図２３Ａ】
2019519294.tif 000032
【図２３Ｂ】
2019519294.tif 000033
【図２３Ｃ】
2019519294.tif 000034
【図２４Ａ】
2019519294.tif 000035
【図２４Ｂ】
2019519294.tif 000036
【図２４Ｃ】
2019519294.tif 000037
【図２５】
2019519294.tif 000038
【図２６】
2019519294.tif 000039
【図２７】
2019519294.tif 000040
【国際調査報告】
2019519294.tif 000041
2019519294.tif 000042
2019519294.tif 000043